(57)【特許請求の範囲】
【請求項１】
操作信号を出力するリモコン送信機と、
前記操作信号を受信してモータの制御信号を出力するリモコン受信機と、
日射遮蔽材を支持するヘッドボックスと、
前記制御信号に基づいて、前記日射遮蔽材を駆動するモータと
を備えた日射遮蔽装置において、
前記リモコン受信機は、その一側の両端部が突出して一対の突出部が形成されたケースと、該リモコン受信機を前記ヘッドボックスの側辺に取付け可能とした取付け具を備え、
前記取付け具は、
コ字型に形成されるとともに、前記一対の突出部の両内側面に回動可能に取着された取付ステーと、
該取付ステーを前記ヘッドボックスの側辺に掛止め可能としたステーアダプターとで構成し、
前記ステーアダプターは、該ステーアダプターに設けられた嵌合片が前記取付ステーに設けられた案内溝に挿入されることにより、前記取付ステーに弾性的に嵌合可能とされたことを特徴とする日射遮蔽装置のリモコン装置。
【請求項２】
前記ステーアダプターは、
前記ヘッドボックスの側辺に弾性的に係合可能とした引掛け部と、
前記引掛け部とで前記側辺を挟着する押え部と
を備えたことを特徴とする請求項１記載の日射遮蔽装置のリモコン装置。
【請求項３】
前記取付ステーと前記ケースとの間には、取付ステーの回動角度を保持する保持手段を設けたことを特徴とする請求項１又は２記載の日射遮蔽装置のリモコン装置。
【発明の詳細な説明】
【技術分野】
【０００１】
この発明は、電動の横型ブラインド、プリーツカーテン、たくし上げカーテン、ロールブラインド等の日射遮蔽装置を遠隔操作するリモコン装置に関するものである。
【背景技術】
【０００２】
リモコン装置により遠隔操作可能とした電動ブラインドは、リモコン送信機とリモコン受信機及び電動ブラインド本体で構成され、送信機の操作信号を受信機で受信し、ヘッドボックス内に配設されるモータを駆動して、スラットの昇降操作及び角度調節操作を行うようになっている。受信機は、ヘッドボックスあるいはヘッドボックス近傍の壁面に取着される。
【０００３】
特許文献１には、受信機を壁掛ケースを介して壁面に取着する構成が開示されている。
特許文献２には、受信機をヘッドボックスの端部に差込可能としたケースに取着し、そのケースをヘッドボックスのいずれかの端部に取着する構成が開示されている。
【０００４】
特許文献３には、受信機をヘッドボックスに取着した構成が開示されている。
特許文献４には、受信機をヘッドボックスの前方に延設されるアルミ枠に取着した構成が開示されている。
【０００５】
特許文献５には、シャッターを開閉するリモコン装置の受信機を、シャッターのガイドレールあるいはケースに取着した構成が開示されている。
特許文献６には、受信機を窓枠に取着した構成が開示されている。
【特許文献１】特開平３−２４４７８５号公報
【特許文献２】実用新案登録第３１１４７０４号公報
【特許文献３】特開２００３−２２１９８９号公報
【特許文献４】特開平６−１０８５９５号公報
【特許文献５】特開２００１−２４８３７１号公報
【特許文献６】実用新案登録第２５４２９４３号公報
【発明の開示】
【発明が解決しようとする課題】
【０００６】
特許文献１に記載された構成では、受信機を取着する位置は、壁掛ケースを取着した位置に限定される。
特許文献２に記載された構成では、受信機の取り付け位置を選択可能であるが、その選択範囲はヘッドボックスの端部のいずれかに限定される。
【０００７】
特許文献３〜６に記載された構成では、受信機の取り付け位置を変更することは容易ではない。
この発明の目的は、リモコン装置の受信機をヘッドボックスに容易に取り付け可能とし、かつその取り付け位置の変更を容易に行い得る日射遮蔽装置のリモコン装置を提供することにある。
【課題を解決するための手段】
【０００８】
請求項１では、操作信号を出力するリモコン送信機と、前記操作信号を受信してモータの制御信号を出力するリモコン受信機と、日射遮蔽材を支持するヘッドボックスと、前記制御信号に基づいて、前記日射遮蔽材を駆動するモータとを備えた日射遮蔽装置において、前記リモコン受信機は、その一側の両端部が突出して一対の突出部が形成されたケースと、該リモコン受信機を前記ヘッドボックスの側辺に取付け可能とした取付け具を備え、前記取付け具は、コ字型に形成されるとともに、前記一対の突出部の両内側面に回動可能に取着された取付ステーと、該取付ステーを前記ヘッドボックスの側辺に掛止め可能としたステーアダプターとで構成し、前記ステーアダプターは、該ステーアダプターに設けられた嵌合片が前記取付ステーに設けられた案内溝に挿入されることにより、前記取付ステーに弾性的に嵌合可能とされた。
【００１０】
請求項２では、前記ステーアダプターは、前記ヘッドボックスの側辺に弾性的に係合可能とした引掛け部と、前記引掛け部とで前記側辺を挟着する押え部とを備えた。
請求項３では、前記取付ステーと前記ケースとの間には、取付ステーの回動角度を保持する保持手段を設けた。
【発明の効果】
【００１１】
本発明によれば、リモコン装置の受信機をヘッドボックスに容易に取り付け可能とし、かつその取り付け位置の変更を容易に行い得る日射遮蔽装置のリモコン装置を提供することができる。
【発明を実施するための最良の形態】
【００１２】
以下、この発明を具体化した一実施の形態を図面に従って説明する。図１に示す電動横型ブラインドは、ヘッドボックス１から吊下支持されるラダーコード２に多数段のスラット３が支持され、そのラダーコード２の下端にボトムレール４が吊下支持されている。前記ラダーコード２の上端部は、ヘッドボックス１内でラダーコード吊下装置に取着されている。前記ヘッドボックス１は取付ブラケット１ａを介して取付面に固定される。
【００１３】
前記各スラット３には、ラダーコード２による支持位置近傍で昇降コード５が挿通され、その昇降コード５の一端は、前記ボトムレール４に接続されている。また、昇降コード５の他端部は、ヘッドボックス１内を一方に案内され、同ヘッドボックス１の一端に設けられたストッパ装置６から下方へ垂下されている。ヘッドボックス１から垂下された各昇降コード５には、コードイコライザ７を介して操作コード８が接続されている。
【００１４】
そして、操作コード８を操作して、昇降コード５をヘッドボックス１から引き出せば、ボトムレール４が引き上げられて、下段のスラット３から順次引き上げられる。また、ボトムレール４及びスラット３の重量を利用して、昇降コード５をヘッドボックス１内に引き込ませれば、ボトムレール４が下降して、上段のスラット３から順次ラダーコード２に支持される状態に復帰する。
【００１５】
操作コード８を手放せば、ストッパ装置６が作動して、ボトムレール４の自重降下が阻止され、スラット３及びボトムレール４が所望高さに吊下支持されるようになっている。
前記ヘッドボックス１内には、駆動軸（図示しない）が回転可能に支持され、その駆動軸は同じくヘッドボックス１内に配設されるモータにより回転駆動される。そして、モータの作動により駆動軸が回転されると、前記ラダーコード吊下装置及びラダーコード２を介して各スラット３が角度調節されるようになっている。
【００１６】
前記モータは、リモコン装置により制御される。そのリモコン装置は、送信機９と受信機１０とから構成され、受信機１０はヘッドボックス１に取着される。前記受信機１０から延設される配線１１は、前記モータから延設される配線１２とコネクタ１３を介して接続される。そして、受信機１０は送信機９から出力される操作信号を受信し、その操作信号に基づいてモータに制御信号を出力するようになっている。
【００１７】
前記受信機１０は、図２に示すように、直方体状のケース１４の一側にコ字型の取付ステー（取付け具）１５の両端部が回動可能に支持され、その取付ステー１５がステーアダプター１６を介して前記ヘッドボックス１に支持される。
【００１８】
前記ケース１４は、図５（ａ）に示すように、本体１７に対し蓋１８が開閉可能に支持され、常には固定ピン１９で閉じられている。そして、固定ピン１９を引き上げると、図５（ｂ）に示すように、蓋１８が開くようになっている。
【００１９】
前記本体１７内には、受信素子及びマイコン等が搭載される基板２０と、基板２０上の各素子の電源となる乾電池２１が収容される。また、図５（ｃ）に示すように、蓋１８を閉じて、固定ピン１９を差し込めば、蓋１８が本体に保持される。
【００２０】
図２に示すように、前記取付ステー１５の両端部は、円弧状に形成されるとともに、ローレット状の凹凸部（保持手段）２２が形成され、本体１７には凹凸部２２に弾性的に係合する突起（保持手段）２３が形成されている。このような構成により、ケース１４は取付ステー１５に対し図２に示す矢印方向にほぼ９０度の範囲で相対回転可能であり、所定角度毎にその回動位置を保持可能となっている。
【００２１】
前記取付ステー１５の中間部は、前記受信機１０に取着された状態で水平方向に延びる取付枠２４として構成され、その取付枠２４の中央部下面にはその取付枠２４の幅方向に案内溝２５が形成されている。
【００２２】
前記案内溝２５の両側において、前記取付枠２４の上面には、前記案内溝２５と平行に案内溝２６ａ，２６ｂが形成されている。
前記ステーアダプター１６は合成樹脂で一体に成形され、前後方向中央部の主辺部１６ａから前記取付ステー１５の案内溝２６ａ，２６ｂに挿入可能とした導入片２７ａ，２７ｂと、前記案内溝２５に挿入可能とした嵌合片２８が形成されている。また、嵌合片２８の先端には上方に突出する抜け止め部２９が形成されている。
【００２３】
このような導入片２７ａ，２７ｂ及び嵌合片２８を案内溝２５，２６ａ，２６ｂに挿入し、抜け止め部２９が案内溝２５を乗り越えると、導入片２７ａ，２７ｂ及び嵌合片２８間に取付枠２４が弾性的に保持されるようになっている。
【００２４】
前記導入片２７ａ，２７ｂの両外側には、前記主辺部１６ａから前記導入片２７ａ，２７ｂと平行に前記取付枠２４の下方に延びる押さえ片３０ａ，３０ｂが延設され、前記取付枠２４を下方から支えるようになっている。
【００２５】
前記主辺部１６ａの左右両側部には、前記導入片２７ａ，２７ｂ及び嵌合片２８とは反対側に延びる引掛け部３１が形成されている。前記引掛け部３１はその先端部が下方へ屈曲され、さらに前記主辺部１６ａ側にく字状に屈曲されている。
【００２６】
また、図３に示すように、前記引掛け部３１間において、前記主辺部１６ａは下方へ延設され、引掛け部３１に向かって突出する押え部３２が形成されている。
図４に示すように、前記ヘッドボックス１は上方を開口した溝型に形成され、その前後両側辺の上端部は、互いに近づく方向に絞られ、さらにその上端が外側に向かって屈曲されている。
【００２７】
前記ステーアダプター１６は、図３及び図４に示すように、引掛け部３１を撓ませながら、引掛け部３１と押え部３２との間に前記ヘッドボックス１の上端部を挿入することにより、ヘッドボックス１に弾性的に係合して、前記受信機１０をヘッドボックス１に取り付け可能となっている。
【００２８】
上記のような受信機１０をヘッドボックス１に取着するには、取付ステー１５にステーアダプター１６を取り付け、ステーアダプター１６の引掛け部３１をヘッドボックス１に引掛けると受信機１０がヘッドボックス１に支持される。そして、コネクタ１３を接続して、モータと接続する。
【００２９】
また、図４に示すように、取付ステー１５に対しケース１４を回動させることにより、受信状態の調整が可能である。
このようにして受信機１０が取着された電動横型ブラインドでは、送信機９から操作信号が出力されると、受信機１０はその操作信号をモータの制御信号に変換して出力する。そして、その制御信号に基づいてモータが動作してスラット３が回動される。
【００３０】
上記のように構成された電動横型ブラインドでは、次に示す作用効果を得ることができる。
（１）ステーアダプター１６の引掛け部３１をヘッドボックス１に引掛けることにより、受信機１０をヘッドボックス１に容易に取着することができる。
（２）引掛け部３１をヘッドボックス１の側辺に引掛ければよいので、取付ブラケット１ａが取着されている部分を除いて、ヘッドボックス１の全長の範囲で任意位置に受信機１０を取着することができる。このとき、配線１１，１２の長さを適宜に変更すればよい。
（３）受信機１０の受信状態が最適となるように、取付け位置の変更を容易に行うことができる。
（４）引掛け部３１と押え部３２との間でヘッドボックス１の側辺を弾性的に挟着するので、受信機１０をヘッドボックス１に安定して保持することができる。
（５）受信機１０のケース１４を、ほぼ垂直方向から水平方向の範囲で、取付ステー１５に対し回動し、かつ保持することができるので、受信状態が最適となるように、ケース１４の角度を調整することができる。
【００３１】
上記実施の形態は、以下の態様で実施してもよい。
・送信機の操作により、昇降コードをモータで巻取り、あるいは巻きしてスラットを昇降する構成としてもよい。
・ヘッドボックスが溝型でない場合には、前記ヘッドボックスの側辺に相当する係止辺をヘッドボックスに設ければよい。
・電動のプリーツカーテン、たくし上げカーテン、ロールブラインド等のリモコン装置の受信機を取り付ける場合にも同様に実施可能である。
・ヘッドボックスが下方に開口する溝型である場合には、ステーアダプターをヘッドボックスの側辺に下方から掛止めする構成とすればよい。
・上記実施の形態の受信機１０は、図６に示すように、取付ステー１５をねじ３３で壁面に取着することもできる。
・取付ステーにマグネット機能を備え、その取付ステーを磁性材で形成したヘッドボックスに吸着する構成としてもよい。
【図面の簡単な説明】
【００３２】
【図１】一実施の形態の電動横型ブラインドを示す正面図である。
【図２】受信機を示す斜視図である。
【図３】ヘッドボックスへの受信機の取付操作を示す斜視図である。
【図４】ヘッドボックスに取付けた受信機を示す側面図である。
【図５】（ａ）〜（ｃ）は受信機のケースの開閉操作を示す斜視図である。
【図６】受信機を壁面に取着する場合を示す斜視図である。
【符号の説明】
【００３３】
１…ヘッドボックス、３…日射遮蔽材（スラット）、９…送信機、１０…受信機、１５…取付け具（受信機）、１６…取付け具（ステーアダプター）。
【図１】
0004845586.tif 000002
【図２】
0004845586.tif 000003
【図３】
0004845586.tif 000004
【図４】
0004845586.tif 000005
【図５】
0004845586.tif 000006
【図６】
0004845586.tif 000007